(57)【要約】      （修正有）【課題】照明器具の照明範囲を広げ、実用性を向上させたカバー構造を提供する。【解決手段】カバーユニット２と、光射出ユニット３とからなる。前記カバーユニットは、挟み支持台座２１と、前記挟み支持台座に直立して設けられる環状カバー２２とを備え、前記環状カバーは、カバー本体２２１を備え、前記挟み支持台座は、上に向かって発光する照明器具１を挟みこむのに用いられる環状輪片を備える。前記環状輪片は、複数が合わさって環状になり且つそれぞれが弾性の特性をもつ弾性挟み片部２１４を備える。前記光射出ユニットは、反射部材３１と、前記反射部材に連結され且つ前記カバーユニット２内に設けられる光射出フレーム３とを備える。【選択図】図２
0003174652.tif 000002
【実用新案登録請求の範囲】
【請求項１】
カバーユニットと、光射出ユニットとからなる、カバー構造であって、
前記カバーユニットは、挟み支持台座と、前記挟み支持台座に直立して設けられる環状カバーとを備え、
前記環状カバーは、カバー本体を備え、前記挟み支持台座は、上に発光する状態の照明器具を挟みこむための環状輪片を備え、前記環状輪片は、複数を併せて環状を呈するとともにそれぞれが弾性の特性をもつ弾性挟み片部を備え、
前記光射出ユニットは、前記カバーユニット上に設けられ、前記光射出ユニットは、反射部材と、前記反射部材に連結され且つ前記カバーユニット内に設けられる光射出フレームとを備え、
前記照明器具から発した光線は、前記反射部材を通って反射し、前記光射出フレームから外に向かって発散されることを特徴とする、カバー構造。
【請求項２】
前記カバーユニットの挟み支持台座は、前記環状輪片の外環状縁を取り囲むように設けられ且つ前記環状カバーに結合される環状台座体を備えることを特徴とする、請求項１に記載のカバー構造。
【請求項３】
前記光射出ユニットの光射出フレームは、相対的に上下にスライド移動されて前記カバーユニット内に入れられる環状位置限定部と、複数が間隔をあけて設けられ且つ両端が前記環状位置限定部と前記反射部材にそれぞれ連結されるスライド柱とを備え、隣接する二つのスライド柱は透光領域を形成することを特徴とする、請求項１に記載のカバー構造。
【請求項４】
前記光射出ユニットの反射部材は、前記光射出フレームに連結される反射本体と、サスペンション部とを備え、前記反射本体は、面が下に向いた反射面と、面が上に向き且つ前記サスペンション部と連結される頂面とを備えることを特徴とする、請求項１に記載のカバー構造。
【考案の詳細な説明】
【技術分野】
【０００１】
本考案はカバー構造に関し、特に照明器具用のカバー構造に関する。
【背景技術】
【０００２】
懐中電灯や電気スタンド等の照明器具から発する照明の光線は、光が集中する直線的な光線であるため、通常は、局部的な照明のニーズしか満たすことができず、使用するタイミングと適用される状況に制限がある。
【０００３】
例を挙げると、野外のキャンプの時よく見られるのが、懐中電灯をテント内に吊るして下へ発光させ、テント内に必要な照明効果を得る方法である。しかしながら、懐中電灯が発する光線は、直線的な光線であるため、照明の範囲が狭く、局部的な照明効果しか得られないため、実際上、テント空間全体に必要な照明を得ることはできない。
【考案の概要】
【考案が解決しようとする課題】
【０００４】
そこで、本考案は、照明器具の照明範囲を広げ、実用性を向上させたカバー構造を提供することを目的とする。
【課題を解決するための手段】
【０００５】
本考案によるカバー構造は、カバーユニットと、光射出ユニットとからなる。前記カバーユニットは、挟み支持台座と、前記挟み支持台座に直立して設けられる環状カバーとを備え、前記環状カバーは、カバー本体を備え、前記挟み支持台座は、上に向かって発光する照明器具を挟みこむのに用いられる環状輪片を備え、前記環状輪片は、複数があわさって環状になり且つそれぞれが弾性の特性をもつ弾性挟み片部を備える。前記光射出ユニットは、反射部材と、前記反射部材に連結され且つ前記カバーユニット内に設けられる光射出フレームとを備える。前記照明器具から発した光線は、前記反射部材を通って反射し、前記光射出フレームによって、前に進む方向を変えられて外側へ発散される。以上のようにして、前記照明器具の照明範囲を広げ、前記照明器具の実用性を向上させることができる。
【図面の簡単な説明】
【０００６】
【図１】本考案のカバー構造の実施例１を示した分解斜視図である。
【図２】実施例１と照明器具を結合させて使用した状態を説明した断面図である。
【図３】実施例１を使用しない時に収納した状態を示した断面図である。
【図４】本考案のカバー構造の実施例２を示した斜視図である。
【考案を実施するための形態】
【０００７】
本考案の詳細説明を行う前に注意が必要なのは、以下の説明内容において、類似の部材は、同じ符号にて表示している、という点である。
【０００８】
（実施例１）
図１から図３に示すように、本考案の実施例１によるカバー構造は、懐中電灯などの照明器具１に取り付けられ、照明器具１は、上に向かって発光する状態で高い場所に吊るされる。
【０００９】
カバー構造は、カバーユニット２と、カバーユニット２に直立させて置かれるとともに、カバーユニット２に対して伸縮移動させることが可能な光射出ユニット３とからなる。
【００１０】
カバーユニット２は、挟み支持台座２１と、挟み支持台座２１に直立して設けられる環状カバー２２と、挟み支持台座２１を支える台座２３とからなり、環状カバー２２と挟み支持台座２１と台座２３の三者は一体に結合される。
【００１１】
挟み支持台座２１は、環状輪片２１１と、環状輪片２１１の外環状縁を取り囲むように設けられ且つ内部が円で外側が四角形状を呈する環状台座体２１２と，環状輪片２１１の底面の外環状部に設けられた環状凹溝２１３とを備える。環状輪片２１１は、六つが相互に連結されて環状を呈するとともに、それぞれ上下に跳ねる弾性挟み片部２１４を備えている。各弾性挟み片部２１４は、扇形に近い形状を呈しており、本実施例においては、弾性挟み片部２１４と環状台座体２１２は、シリコンゴム、ゴム、或いは、プラスチックからなる。また、環状台座体２１２は、等間隔に設けられた四つの穿孔２１５を備える。本実施例において、環状台座体２１２と環状輪片２１１は、同じ材料で成型される。
【００１２】
環状カバー２２は、内部が円で外側が四角形状を呈するカバー本体２２１と、カバー本体２２１の底面から下に向かって延伸するとともに、挟み支持台座２１の環状台座体２１２の頂面に同じ面積で貼り合わされる連結部２２２と、連結部２２２を貫設するとともにカバー本体２２１内まで延伸する四つの差込孔２２３と、カバー本体２２１の頂面から内径に向かって延伸する環状ストッパー部２２４と、を備える。その内、連結部２２２の外環状面は、カバー本体２２１の外環状面に対して相対的に内側にへこんでおり、四つの差込孔２２３は、それぞれ、挟み支持台座２１の四つの穿孔２１５に対応して連通し、環状ストッパー部２２４は、三等分に間隔をあけて設けられた開孔２２５を備える。
【００１３】
台座２３は、内部が円で外側が四角形状を呈する環状底壁２３１と、環状底壁２３１の内環状縁から上に延伸する支持頂壁２３２と、環状底壁２３１の外環状縁から上に延伸する外環状壁２３３と、環状底壁２３１に間隔をあけて設けられる差込連結柱２３４とを備える。環状底壁２３１は、挟み支持台座２１の環状台座体２１２の底面に同じ面積で貼り合わされる。支持頂壁２３２は、挟み支持台座２１の環状輪片２１１の底面に当接するとともに、環状凹溝２１３内に差し込まれる。外環状壁２３３は、環状台座体２１２と環状カバー２２の連結部２２２を同時に取り囲むとともに、カバー本体２２１の底面に連結される。また、四つの差込連結柱２３４は、それぞれ、四つの穿孔２１５に差し込まれるとともに、接着剤を利用して、四つの差込孔２２３内に、それぞれ差し込まれ粘着される。  
【００１４】
光射出ユニット３は、環状カバー２２の上方に間をあけて設けられるか或いは環状カバー２２の上に重ねて設けられ且つ吊るすことができる反射部材３１と、環状カバー２２から上方へ引っ張ることができる或いは下へ収縮させ環状カバー２２内に入れることができる光射出フレーム３２とを備える。反射部材３１は、反射本体３１１と、サスペンション部３１２とを備える。反射本体は、面が下を向いた反射面３１３と、面が上を向くとともにサスペンション部３１２に連結される頂面３１４とを備える。本実施例において、反射面３１３は、わずかに円錐状を呈しているが、これに限定されるものではない。光射出フレーム３２は、上下にスライドさせて環状カバー２２のカバー本体２２１内に入れることができ且つ環状ストッパー部２２４にストップされてカバー本体２２１の外に出てしまうのを避けることができる環状位置限定部３２１と、反射部材３１と環状位置限定部３２１の間に三等分の間隔で連結されるとともに、三つの開孔２２５内にそれぞれ延伸して差し込まれるスライド柱３２２と、三つのスライド柱３２２によって形成された三つのくり抜かれた透光領域３２３とを備える。
【００１５】
図２に示すように、本考案を使用する時は、まず、照明器具１（本考案では、懐中電灯を例に挙げる）は、上に向かって発光する状態で、環状輪片２１１内に差し込む。照明器具１の手で握る部分の外径は、環状輪片２１１の内径よりわずかに大きいため、照明器具１によって六つの弾性挟み片部２１４がわずかにめくり上がり、彎曲変形して、六つの弾性挟み片部２１４が照明器具１を弾力で挟む作用が生じる。さらに、環状カバー２２の連結部２２２と支持頂壁２３１を組み合わせることにより、環状輪片２１１の外環状部に圧力をかける作用が生じ、それにより、六つの弾性挟み片部２１４が照明器具１を弾力で挟む力をさらに強化することができ、照明器具１は、環状カバー２２内に挟まれてしっかりと固定される。続けて、光射出ユニット３全体を環状カバー２２外の外に引っ張りだし、反射部材３１のサスペンション部３１２で、所定の箇所に吊るして固定すればよい。
【００１６】
その後、照明器具１の上へ発する光線は、反射部材３１に向かって射出され、反射した後、更に、三つの透光領域３２３から外に向かって発散される。以上のようにして、照明器具１の照明範囲を効果的に拡大することができ、それと同時に、照明を柔らかく、均一にする効果を得ることができる。それにより、照明器具１の適用される場合状況が、局部的な照明に限定されることがなくなり、本考案を使用すると、照明器具１により広範囲の照明のニーズを満たすことができ、照明器具１の実用性を更に高めることができる。
【００１７】
上述した内容から分かるように、本考案は、使用が非常に簡単、便利であるだけでなく、図３に示すように、使用しない時、光射出フレーム３２全体を上下にスライドさせて縮小し、環状カバー２２内に収納することができ、それにより、本考案の全体の体積を大幅に小さくし、携帯と収納が更にしやすくなる。
【００１８】
（実施例２）
図４は、本考案カバー構造の実施例２である。実施例２が、上述した実施例１と異なる箇所は、光射出ユニット３の全体が環状カバー２２のカバー本体２２１の頂面上に、固定して直立で設けられる、という点である。従って、図１に示した光射出ユニット３の環状位置限定部３２１、環状カバー２２の環状ストッパー部２２４等の部材は、ここではいずれも省略するものとする。なお、光射出ユニット３の反射部材３１のサスペンション部３１２構造も、必ずしも必要ない。
【００１９】
使用する時は、照明器具１（即ち、懐中電灯。図示せず）を上に向けて発光させた状態で、机の上に直立させて置き、さらに、本考案を照明器具１に取り付けると、電気スタンドの照明に必要な理想的な照明効果を得ることができる。
【符号の説明】
【００２０】
１      照明器具
２      カバーユニット
２１    挟み支持台座
２１１  環状輪片
２１２  環状台座体
２１３  環状凹溝
２１４  弾性挟み片部
２１５  穿孔
２２    環状カバー
２２１  カバー本体
２２２  連結部
２２３  差込孔
２２４  環状ストッパー部
２２５  開孔
２３    台座
２３１  環状底壁
２３２  支持頂壁
２３３  外環状壁
２３４  差込連結柱
３      光射出ユニット
３１    反射部材
３１１  反射本体
３１２  サスペンション部
３１３  反射面
３１４  頂面
３２    光射出フレーム
３２１  環状位置限定部
３２２  スライド柱
３２３  透光領域
【図１】
0003174652.tif 000003
【図２】
0003174652.tif 000004
【図３】
0003174652.tif 000005
【図４】
0003174652.tif 000006